(57)【要約】  本発明は、ユーザの身体の生体インピーダンスを誘導的に測定する方法及び装置１に関する。さらに、本発明は、当該装置１を有するベッド２に関する。複雑な回路を伴うことなくユーザの身体の生体インピーダンスを空間的に分解して誘導的に測定するための方法及び装置を提供するため、ユーザ身体の生体インピーダンスを誘導的に測定する装置１が提案され、装置１は、ユーザ身体に交番磁界を誘導するように構成された複数の第１のインダクタ４を有し、装置１はさらに、ユーザの身体における二次的磁界を測定するように構成された複数の第２のインダクタ６を有し、複数の第１のインダクタの各々は、複数の測定領域１２，２５を形成するように複数の第２のインダクタ６のうちの少なくとも１つと重なることを特徴としている。
2008541916.tif 000002
【特許請求の範囲】
【請求項１】
ユーザの身体の生体インピーダンスを誘導的に測定する装置であって、
・前記ユーザの身体において交番磁界を誘導するように構成された複数の第１のインダクタと、
・前記ユーザの身体における二次的磁界を測定するように構成された複数の第２のインダクタと、
を有し、
前記複数の第１のインダクタの各々は、複数の測定領域を形成するよう前記複数の第２のインダクタのうちの少なくとも１つと重なる、
装置。
【請求項２】
請求項１に記載の装置であって、前記複数の第１のインダクタ及び前記複数の第２のインダクタは、測定領域のマトリクスを形成するように配列されている、装置。
【請求項３】
請求項１に記載の装置であって、前記複数の第１のインダクタは、略第１の方向において配列され、前記複数の第２のインダクタは、略第２の方向において配列され、前記第２の方向は、前記第１の方向に略直交している、装置。
【請求項４】
請求項１に記載の装置であって、前記複数の第１のインダクタ及び／又は前記複数の第２のインダクタの各々が個別に制御可能なように前記複数の第１のインダクタ及び／又は前記複数の第２のインダクタに複数のスイッチが割り当てられる、装置。
【請求項５】
請求項１に記載の装置であって、前記複数の第１のインダクタ及び／又は前記複数の第２のインダクタは、当該結果として得られる測定領域のうちの少なくとも１つが略規則的形状を呈するように配列されている、装置。
【請求項６】
請求項１に記載の装置であって、前記複数の第１のインダクタ及び／又は前記複数の第２のインダクタは、当該結果として得られる測定領域のうちの少なくとも１つが不規則な形状を呈するように配列されている、装置。
【請求項７】
請求項１に記載の装置であって、第１の測定領域における前記複数の第１のインダクタと前記複数の第２のインダクタとの交差点の密度は、第２の測定領域におけるそれら交差点の密度とは異なる、装置。
【請求項８】
請求項１に記載の装置であって、当該装置は、複数の第１の伝導体素子を有し、これら第１の伝導体素子は、第１のインダクタ及び／又は複数の第２の伝導体素子を形成するよう互いに自由に接続可能であり、前記第２の伝導体素子は、第２のインダクタを形成するように互いに自由に接続可能である、装置。
【請求項９】
請求項１に記載の装置を有するベッドであって、第１及び／又は第２のインダクタは、柔軟性基板上の構造化された伝導体素子を有し、前記構造化された伝導体素子は、銅製であり、前記柔軟性基板は、ベッドシーツに付けられている、装置。
【請求項１０】
請求項１に記載の装置を有するベッドであって、第１及び／又は第２のインダクタは、ワイヤその他の形態による柔軟性伝導体素子を有し、前記柔軟性伝導体素子は、縫込み又は編み込みその他の手段によりベッドシーツに一体化されている、ベッド。
【請求項１１】
ユーザの身体の生体インピーダンスを誘導的に測定する方法であって、
・複数の第１のインダクタにより前記ユーザの身体に交番磁界を誘導するステップと、
・複数の第２のインダクタにより前記ユーザの身体における二次的磁界を測定するステップと、
を有し、
前記複数の第１のインダクタの各々は、複数の測定領域を形成するよう前記複数の第２のインダクタのうちの少なくとも１つと重なる、方法。
【請求項１２】
請求項１１に記載の方法であって、前記複数の第１及び／又は第２のインダクタの各々は、個別に制御される、方法。
【請求項１３】
請求項１１に記載の方法であって、
・少なくとも１つ又は全ての第１のインダクタを時間的に連続して動作させること、及び
・各第１のインダクタの動作中において、少なくとも１つ又は全ての第２のインダクタを時間的に連続して動作させること、
を有する方法。
【発明の詳細な説明】
【技術分野】
【０００１】
本発明は、ユーザの身体の生体インピーダンスを誘導的に測定する方法及び装置に関する。さらに、本発明は、その装置を有するベッドに関する。
【背景技術】
【０００２】
生体インピーダンスの誘導的な測定は、非接触により人体の様々な生命パラメータを判定するための既知の方法である。動作原理は、次の如くである。インダクタループを用いて、交番磁界が人体の一部に誘導される。この交番磁界により当該身体の組織において渦電流を生じる。組織のタイプ及び伝導性によって、渦電流は強かったり又は弱かったりする。渦電流は、組織の損失を生じ、これは、インダクタループの品質係数の低下として測定可能である。渦電流はまた、二次磁界を起こし、これはインダクタループの誘導性の変化として又は第２のインダクタループにおける誘導電圧として測定可能である。
【０００３】
生体インピーダンスの誘導的な測定は、例えば呼吸の動作及び深さ、心拍数並びに心臓容積及び血中ブドウ糖レベルの変化、さらには組織の脂肪又は水分含有量などの幾つかのパラメータの非接触判定を可能にすることが分かっている。
【０００４】
既知の装置は、人体の小さく明確な部分しか測定することができない。一方、より大きな範囲の測定を可能にする生体インピーダンスの空間的に分解された測定が望まれている。国際特許出願に係る文献のＷＯ２００４／０２６１３６Ａ１からは、ユーザ身体の少なくとも一部分の電磁特性がアレイ状に配置された多数のコイルのうちの少なくとも１つの共鳴特性の変化から判定される装置が知られている。この方策及びこれに類似の方策の不利な点は、空間的に分解される測定を実行しようとすると、必要とされる回路が非常に複雑になることである。
【発明の開示】
【発明が解決しようとする課題】
【０００５】
本発明の目的は、複雑にならない回路によってユーザの身体の生体インピーダンスの空間的に分解される誘導的な測定を行うための方法及び装置を提供することである。
【課題を解決するための手段】
【０００６】
この目的は、本発明により、ユーザの身体の生体インピーダンスを誘導的に測定する装置であって、・前記ユーザの身体において交番磁界を誘導するように構成された複数の第１のインダクタを有し、当該装置はさらに、・前記ユーザの身体における二次的磁界を測定するように構成された複数の第２のインダクタを有し、前記複数の第１のインダクタの各々は、複数の測定領域を形成するよう前記複数の第２のインダクタのうちの少なくとも１つと重なる、ことを特徴とした装置によって達成される。
【０００７】
この目的はまた、ユーザの身体の生体インピーダンスを誘導的に測定する方法であって、・複数の第１のインダクタにより前記ユーザの身体に交番磁界を誘導するステップと、・複数の第２のインダクタにより前記ユーザの身体における二次的磁界を測定するステップと、を有し、前記複数の第１のインダクタの各々は、複数の測定領域を形成するよう前記複数の第２のインダクタのうちの少なくとも１つと重なる、方法によって達成される。
【０００８】
本発明の基本的思想は、第１の組のインダクタが磁界発生インダクタ（磁界インダクタ）を担い、第２の組のインダクタが磁界検出インダクタ（検出インダクタ）を担うようにして２つの異なる組のインダクタループを配置することである。磁界インダクタ及び検出インダクタは、各々、特定の領域（全測定領域）をカバーする。磁界インダクタ及び検出インダクタは、測定ステップ中に全測定領域のうちの小さな部分しかスキャンされないように配置される。これを達成するため、磁界インダクタ及び検出インダクタは、重なるように構成される。これらスポットにおいて、測定領域が形成される。多数のこうした測定領域は、ユーザ身体の空間的に分解される生体インピーダンススキャンを得るために多数の測定ステップにおいて（好ましくは時間的に連続して）スキャンされる。これらインダクタが十分な寸法を呈する場合、生体インピーダンスの空間的に分解された測定は、例えばユーザの身体全体をカバーする大きな領域にわたって可能である。換言すれば、多数の個別のインダクタを用いることに代えて、多数のケーブル、スイッチなどを各々が装備し、少ない数のインダクタが用いられ、これらインダクタの新しい配置を適用しこの配置に基づく新しいケーブル構成を適用することによって、高い有用性が達成される。同時に、当該新しい配置のために電子部品は少なくて済む。
【０００９】
また、本発明の目的は、当該装置を有するベッドによって達成される。本発明によるベッドは、例えば伝統的なベッド、病院用ベッド、診察台、伝統的な椅子、歯科医用椅子、車椅子、（手術）テーブルなどの上に横になり又は座るためなどの表面又は他の装置として規定される。この方策により、ユーザがベッドで例えば夜に回復したときに測定を行うことができる。これにより、測定状態がかなり良好に規定されるので、１セッションから他のセッションまで再現可能な結果が得られる。したがって、低速の長期間の変化を監視することができる。さらなる利点としては、本発明の方策は、ユーザの身体に装置を付ける必要がないことである。睡眠中にユーザの制御の利かない動きのためにこのような装置が取り外されるリスクがない。また、ユーザの居心地も改善する。
【００１０】
本発明のこうした態様及びその他の態様は、従属請求項に規定される以下の実施例に基づいてさらに詳しく述べることにする。
【００１１】
本発明の好適実施例によれば、複数の第１のインダクタ及び複数の第２のインダクタは、それらが測定領域のマトリクスを形成するように配列される。換言すれば、一種のグリッドが形成され、かかるグリッドが全ての測定領域を有し、これにより当該装置の全測定領域をカバーする。このようなマトリクスの方策は、大幅に少ない電子部品、例えば少数のスイッチなどで済む。好ましくは、当該グリッドは、ベッドなどをカバーするために例えば略矩形状の如き規則正しい形のものとするのが良い。したがって、本発明の他の実施例によれば、複数の第１のインダクタは、略第１の方向に配列され、複数の第２のインダクタは、略第２の方向に配列されるとともに、当該第２の方向は第１の方向と略直交するのが好ましい。
【００１２】
本発明のもう１つの好適実施例によれば、数ある第１及び／又は第２のインダクタの各々が独立して制御可能となるように複数のスイッチが当該複数の第１及び／又は第２のインダクタに割り当てられる。これにより、当該インダクタからの、すなわち各測定領域からの情報を時間的に連続して得ることができる。
【００１３】
本発明の他の好適実施例によれば、複数の第１及び／又は第２のインダクタは、結果的に得られる測定領域のうちの少なくとも１つが略規則的形状を呈するように配置される。かかる形状は、例えば、規則的なグリッドの形状を呈する測定配列を提供するために四角形（特に長方形、正方形又は台形）とすることができる。
【００１４】
本発明の他の好適実施例によれば、複数の第１及び／又は第２のインダクタは、結果的に得られる測定領域のうちの少なくとも１つが不規則な形状を呈するように配列される。この形状は、例えば、歪んだグリッドの形状を呈する測定配列を提供するために曲線又は直線によって規定することもできる。特に特定の領域が他のものよりも関心のある場合、この実施例は、多くの利点を奏する。この場合、当該装置の第１の測定領域における複数の第１のインダクタと複数の第２のインダクタとの交差点の密度は、当該装置の第２の測定領域におけるそれらの交差点の密度とは異なっている。換言すれば、複数の測定領域の表面領域は、測定配列全体にわたって一定ではない。これは、各インダクタの形状及びこれに伴う各測定領域の形状が測定領域全体における異なる位置について変わりうることを意味している。交差点の高い密度は、高いスキャン解像度を得ることができることを意味している。同時に、対応する測定領域の表面領域が小さく、これにより、深さ情報の損失を導く。交差点の密度及び測定領域の形態は、例えば睡眠中におけるユーザの標準的位置及び／又は実行すべき測定の種類に応じて選択されるのが好ましい。
【００１５】
本発明の他の好適実施例によれば、当該装置は、複数の第１の導電体素子を有し、これら第１の導電体素子は、第１のインダクタ及び／又は複数の第２の導電体素子を形成するよう互いに自由に接続可能とされ、当該第２の導電体素子は、第２のインダクタを形成するよう互いに自由に接続可能とされる。換言すれば、導電体素子（例えばワイヤ）は、異なる形状の磁界インダクタ及び／又は検出インダクタを形成するために、そしてこれにより異なる形状の測定領域を形成するために互いに自由に接続可能となるように構成される。これは、導電体及び電子部品の総数がさらに減り、非常に簡単で安価な測定装置を導くことができることを意味している。
【００１６】
本発明による装置は、ベッドと共に用いるのが好ましい。この場合、第１及び／又は第２のインダクタは、柔軟性のある基板の上に構造化された導電体素子を有するのが好ましく、その構造化された導電体素子は、銅製のものとするのが好ましく、また、当該柔軟性基板は、ベッドのシーツに付けられるのが好ましい。単一の柔軟性基板を用いることによって、当該基板の取り扱い及び当該基板をベッドのシーツに付けることが非常に簡単になる。或いは、各インダクタループを、自分の基板上に製造することができる。これら小さめの基板は、例えば、ベッドのシーツの布地へ交差して又は横断して織り込まれることができる。
【００１７】
他の実施例において、第１及び／又は第２のインダクタは、好ましくはワイヤの形態の柔軟性のある導電体素子を有し、その柔軟性導電体素子は、例えば縫い合わせたり又は編み込んだりすることによってベッドのシーツに一体化されるのが好ましい。この方策は、最も柔軟性があり、しかもユーザにとって最も居心地の良いものとなる。
【００１８】
以下、本発明のこれらの態様及びその他の態様を、次の実施例及び添付図面に基づいて例示により詳しく説明する。
【発明を実施するための最良の形態】
【００１９】
図１は、本発明による非接触の医学的診断装置１を示している。装置１は、ベッド２と一体化されている。装置１は、ベッド２の領域にわたり分散させられたコイル３のアレイを有する。コイル３のアレイは、ベッド２上の人体（図示せず）の空間的に分解される生体インピーダンスを測定することを意図されている。装置１は、何らかの種類の装置をユーザの身体に宛がう必要なくベッド２における回復中にユーザを監視するために、心拍数、組織含水量又は血中グルコースレベルなどの生命パラメータの簡単かつ快適な診断を可能にする。
【００２０】
図２に示されるように、装置１は、多数の第１のコイルを有し、これら第１のコイルは、ユーザの身体において交番磁界を誘導するように適応させられる。換言すれば、これら第１のコイルは、磁界発生コイル（磁界コイル）４を担う。このため、磁界コイル４は、電源５に接続可能である。
【００２１】
装置１はさらに、多数の第２のコイルを有し、これら第２のコイルは、ユーザの身体における二次的な磁界を測定するように適合させられ、この二次的な磁界は、身体の組織における渦電流により生じる。換言すれば、第２のコイルは、磁界検出コイル（検出コイル）６を担う。このため、検出コイル６は、検出ユニット７に接続可能である。検出ユニット７は、測定した信号を受信し記憶するように適合させられる。検出ユニット７は、測定した信号を処理し測定結果を計算するように適応させられるコンピュータを有するのが好ましい。このような測定結果は、データ記憶手段に記憶され、或いはこの記憶に付加的又は代替的に、オペレータ又は医師に伝えるために、ディスプレイ（図示せず）又は通信インターフェース（図示せず）に転送される。
【００２２】
磁界コイル４及び検出コイル６は、ストライプマトリクス８を形成するように構成される。磁界コイル４も検出コイル６も、各コイルが２つのワイヤ（上向きに走るワイヤと下向きに走るワイヤ）を有するように示されるという点で簡単に描かれている。実際には、各ワイヤは多数の巻数を有する。
【００２３】
図２に示されるように、コイル４，６の構成は、グリッド形態を有する。マトリクス８は、磁界コイル４の第１のアレイと検出コイル６の第２のアレイとを有する。装置１は、多数の測定領域９を形成するよう複数の磁界コイル４の各々が複数の検出コイル６のうちの少なくとも１つと重なることを特徴としている。
【００２４】
図３に示されるように、第１のステップにおいて、磁束は、第１のアレイすなわち磁界コイル４のアレイのインダクタループの単一の長いストライプ１０にのみ誘導される。図３において、このストライプ１０は、垂直に延びており、良く理解するためにハッチングが施されている。続いて、第２のアレイすなわち検出コイル６のアレイのインダクタループの単一の長いストライプ１１は、このストライプ１０において誘導された磁束を測定するように選択される。図３において、このストライプ１１は、水平に延びており、良く理解するためにハッチングが施されている。
【００２５】
２つのストライプ１０，１１が重なる領域１２だけが測定に寄与する。このようにして、当該測定は、小さな測定領域１２においてのみ生体インピーダンスの検出を可能とする。磁界コイル４及び検出コイル６の寸法は、装置１の総測定面積を規定し、好ましくは、ベッドのシーツ全体をカバーするのが良い。好ましくは、全ての測定領域１２は、ユーザの身体の空間的に分解される生体インピーダンススキャンを得るように時間的に連続して測定する複数のステップの間にスキャンされるのが良い。
【００２６】
複数のスイッチ１３は、こうしたコイル４，６の各々が個別にアドレス指定可能なように磁界コイル４及び検出コイル６それぞれに接続される。すなわち、各コイルは、他のコイルとは独立して動作可能である。
【００２７】
本例では、１３個の磁界コイル４と８個の検出コイル６が用いられる。これにより、総数１０４の測定領域１２が得られる。例えば各磁界コイル４が１秒の時間期間においてオンに切り換えられると、検出コイル６の各々は、１２５ミリ秒間、磁界コイル４と共に形成される対応の測定領域１２からの情報を検出可能である。その後、次の磁界コイル４は、オンに切り換えられる。この結果、１３個全ての磁界コイル４を動作させた後、すなわち１３秒の動作時間の後、全部の生体インピーダンススキャンがベッドのシーツ領域全体をカバーして行われる。すなわち、少なくとも１つ好ましくは全ての磁界コイル４は、時間的に連続してオン（及びオフ）に切り換えられ、動作状態にある磁界コイル４の各々につき、少なくとも１つ好ましくは全ての検出コイル６が時間的に連続してオン（及びオフ）に切り換えられる。かかる生体インピーダンススキャンの結果により、測定値の空間的に分解された分析が可能となる。
【００２８】
本発明の他の実施例では、櫛様マトリクス１４が用いられる（図４参照）。そこには複数の第１のトラック１５が設けられる。図４において、トラック１５は、櫛様構造で垂直に走っており、すなわち、一端１６において互いに接続され、磁界コイル４を形成するようスイッチ１３によって他端１７において互いに自由に接続可能とされる。これに加え、複数の第２のトラック１８が設けられる。トラック１８は、櫛様構造にて図４において水平に走っており、すなわち一端１９において互いに接続され、検出コイル６を形成するようスイッチ１４により他端２０において互いに自由に接続可能となっている。これにより、異なる形状の磁界コイル４及び／又は検出コイル６が形成可能となる。すなわち、当該コイルを形成するのにより少ない数のトラックで済み、それらの製造を簡単にするのである。ここでも、スイッチ１３は、トラック１５，１８により形成すべき各コイル４，６が個別にアドレス指定可能なようにトラック１５，１８に接続される。
【００２９】
例えば、最初の（上向き走行）トラック２１は、磁界コイル４を形成するよう当該配列の中間において（下向き走行）トラック２２に接続される（図５参照）。したがって、結果的に得られる磁界コイル４は、６４の元の（正方形の）測定領域をカバーする。図示の目的のため、結果的に得られる磁界コイル４の表面領域がハッチングされている。
【００３０】
同時に、検出コイル６のサイズを選ぶことができる。例えば、検出コイル６が２つの隣接トラック２３，２４により形成される場合、磁界コイル４と検出コイル６との間の重なりにより形成される結果として得られる測定領域２５は、元の（正方形の）測定領域の８つをカバーする。図示の目的のため、結果として得られる磁界コイル６の表面領域がハッチングされている。
【００３１】
このような構成を用いて、コイルサイズは、測定の種類及び所望の解像度に応じて規定可能である。小さい測定領域が形成される場合、走査解像度は高い。同時に、深さ情報についての少量が検出可能である。他方、大きな測定領域が用いられる場合、走査解像度は、大深度の磁界と弱めに結合させられる。
【００３２】
例えばスイッチ１３などの電気的接続部及び回路デザインの使用は、図示の実施例とは変ったものとなりうる。
【００３３】
図２、図３、図４及び図５に示されるように、磁界コイル４及び検出コイル６は、互いに略直交するように配列されるのが好ましい。この結果、矩形状測定領域１２，２５を備える規則的な形状のマトリクス８，１４となる。生体インピーダンス測定の解像度は、構成全体に対して一定である。
【００３４】
本発明の他の実施例では、図６に示されるように、測定領域の歪んだグリッド２４が形成されるようにコイルが配列される。簡明にするため、スイッチなどは図示していない。コイルトラックの構成のみが示される。
【００３５】
第１の測定領域２５、例えばベッドの中央において垂直に走る磁界コイル４と水平に走る検出コイル６との交差点の密度は、第２の測定領域２６、例えばベッドのエッジ近くにおけるそれらの交差点の密度よりも高い。ハッチングの施された例の領域により示されるように、測定領域は、それらの位置に応じて異なる表面積を有する。すなわち、生体インピーダンス測定の解像度は異なる。図示の実施例では、高い走査解像度が第１の測定領域２５において達成されるのに対し、良好な深さの磁界が第２の測定領域２６において達成される。
【００３６】
磁界及び検出コイル４，６は、ベッドのシーツに付けられるポリアミド（柔軟薄膜）のような大きな柔軟性のある基板２７上に構造化された銅により作られるのが好ましい。或いは、インダクタループは、細いワイヤによりベッドのシーツに編み込まれ又は縫い込まれるようにすることができる。この場合、その細いワイヤは、２つのワイヤが互いに交差するポイントにおいて短絡を回避するために薄い電気的絶縁層を有する。全ての方策は、防水にすることができるので、ベッドシーツは洗濯可能である。電源及び検出器の電子回路部分５，７も、ベッドシーツに一体化させられるのが好ましい。この場合、該回路部分は水密に封止されなければならない。別のバージョンにおいては、当該電子回路部分は、洗濯前にベッドシーツから取り外し可能とされる。その場合、コンタクト部が防水でなければならない。或いは、電源５及び検出器７は、図１に示されるように独立したボックスなどでベッドに取り付けられる。
【００３７】
上述したような装置１は、心拍数を検出するために用いるのが好ましい。また、検出コイル６のアレイは、最良の信号品質により測定領域１２，２５の位置を自動的に選択し追跡するために用いることができる。２つの測定領域（例えばユーザの腕の下側端部近くの第１の測定領域と、その腕の上側端部近くの第２の測定領域）の間の心拍数信号の時間遅延を測定することにより、ユーザの身体の血圧に関する情報を得ることができる。ユーザの呼吸動作も監視することができる。これは、小さな子供の監視に役に立つが、睡眠の質の指標を提示することもできる。また、身体の動きを監視することができる。人の運動は、睡眠の質の指標も呈示する。さらに、より良いデータ相関を得るため、人が寝ているかどうか又は起きているかどうかを検出することができる。本装置１による生体インピーダンスの測定は、血液のグルコース含有量を監視するために用いることもできる。装置１は、低血糖症の状況のケースにある人を起床させるアラームシステム（図示せず）に結合可能である。生体インピーダンス測定は、組織の水分又は脂肪の含有量を検出するために用いることもできる。ベッド２における測定の状況は、異なるセッションの間で良好に再現可能となる。したがって、長い時間期間にわたり良好な比較が可能となる。身体の脂肪含有量又は起こりうる不十分な心臓動作による組織の含水量の長期間増加を測定することによるダイエットの成功は、非常に良好に監視可能となる。
【００３８】
上述したような本発明による装置の全ての用途のために、検出器７を用いることができる。好ましくは、検出器７は、当該コンピュータプログラムが当該コンピュータにおいて実行されるときに測定信号から所望の用途に応じてデータを得るためのコンピュータ命令を有するコンピュータプログラムを実行するように適応させられたコンピュータ（図示せず）を有するのが良い。したがって、本発明により必要な技術的作用は、本発明によるコンピュータプログラムの命令に基づいて実現可能である。好ましくは、コンピュータプログラムは、複数の磁界コイル４及び／又は検出コイル６の各々を個別に制御するためのコンピュータ命令を有するのが良い。特に、コンピュータプログラムは、少なくとも１つの好ましくは全ての磁界コイル４を時間的に連続して動作させ、動作中の磁界コイル４毎に少なくとも１つの好ましくは全ての検出コイル６を時間的に連続して動作させるコンピュータ命令を有するので、生体インピーダンスの空間的に分解された測定を達成することができる。
【００３９】
このようなコンピュータプログラムは、ＣＤ−ＲＯＭなどの担体に記憶可能であり、或いはインターネット又は他のコンピュータネットワークにおいて利用可能なものとすることができる。実行前に、かかるコンピュータプログラムは、例えばＣＤ−ＲＯＭプレーヤにより当該担体から又はインターネットからのコンピュータプログラムを読み取りそれを当該コンピュータのメモリに記憶することにより、コンピュータ内へロードされる。コンピュータは、とりわけ中央処理ユニット（ＣＰＵ）、バスシステム、メモリ手段（例えばＲＡＭ又はＲＯＭ）、記憶手段（例えばフロッピー（登録商標）ディスク又はハードディスクユニット）及び入力／出力ユニットを含む。
【００４０】
当業者であれば、本発明が上記例示の実施例の詳細に限定されず、また、本発明がその主旨又は本質的な特質を逸脱することなく他の具体的な形態に具現化可能であることは明らかとなる。したがって、本提示の実施例は、全ての側面において例示するものであって限定するものではないと考えられ、本発明の範囲は、上記詳細な説明によるのではなく添付の請求項によって示されるものであり、したがって、当該請求項の同等の意味及び範囲に入る全ての変更は、ここに含まれることを意図している。さらに、「有する」なる文言は他の要素又はステップを排除するものであなく、単数表現は複数形態を排除するものではなく、コンピュータシステム又は他のユニットのような単一の要素は請求項に挙げた幾つかの手段の機能を満たしうるものであることは明らかである。請求項における参照符号は、関連の請求項を限定するものと解釈してはならない。
【図面の簡単な説明】
【００４１】
【図１】本発明による装置を有するベッドの概略図。
【図２】第１の実施例による装置の概略図。
【図３】本装置の動作を示す第１の実施例による装置の概略図。
【図４】第２の実施例による装置の概略図。
【図５】本装置の動作を示す第２の実施例による装置の概略図。
【図６】不規則な形状の測定グリッドの概略図。
【符号の説明】
【００４２】
１…装置
２…ベッド
３…コイルのアレイ
４…磁界コイル
５…電源
６…検出コイル
７…検出ユニット
８…ストライプマトリクス
９…測定領域
１０…ストライプ
１１…ストライプ
１２…測定領域
１３…スイッチ
１４…櫛マトリクス
１５…第１のトラック
１６…トラック端部
１７…トラック端部
１８…第２のトラック
１９…トラック端部
２０…トラック端部
２１…上向き走行トラック
２２…下向き走行トラック
２３…測定領域
２４…歪みグリッド
２５…第１の測定領域
２６…第２の測定領域
２７…基板
【図１】
2008541916.tif 000003
【図２】
2008541916.tif 000004
【図３】
2008541916.tif 000005
【図４】
2008541916.tif 000006
【図５】
2008541916.tif 000007
【図６】
2008541916.tif 000008
【国際調査報告】
2008541916.tif 000009
2008541916.tif 000010
2008541916.tif 000011